(57)【要約】【課題】  低速側リングと各ローラとの接触部に、トラクション・オイルを十分に供給し且つ十分に滞在させるようにして、著しい寿命の向上を図ること。【解決手段】  低速側リング３２の内周面の各ローラ３７ａ，３７ｂ…に接触しない部位には、径方向内方に膨出して周方向に延びる周方向突条堰部６０が形成してある。この周方向突条堰部６０の内径は、低速側リング３２の内周面の各ローラ３７ａ，３７ｂ…に接触する部位の内径より、小さくなるように設定してある。従って、低速側リング３２の内径部分に沿った軸方向の一方（高速シャフト１７方向）への流れが主流となって、この方向に多量に流れるようになる。これにより、各ローラ３７ａ，３７ｂ…との接触部を通るトラクション・オイルの流量を増加させることができる。【選択図】  図８
2005140156.tif 000002
【特許請求の範囲】
【請求項１】
第１ハウジングに回転自在に支持され、一端部に低速側リングを設けた低速側シャフトと、前記低速側シャフト及び前記低速側リングに対して偏心して、第２ハウジングに回転自在に支持された高速側シャフトと、前記低速側リングと前記高速側シャフトとの間に回転自在に支持された、少なくとも１個のガイドローラと少なくとも１個の可動ローラとから成るくさび作用を利用した摩擦ローラ式変速機において、
前記低速側リングの内周面であって、前記各ローラに接触しない部位に、径方向内方に膨出して周方向に延びる周方向突条堰部が形成してあり、
当該周方向突条堰部の内径は、前記低速側リングの内周面の前記各ローラに接触する部位の内径より、小さくなるように設定してあることを特徴とする摩擦ローラ式変速機。
【請求項２】
前記低速側リングの内周面であって、前記各ローラに接触しない部位に、前記周方向突条堰部に隣接して、テーパ堰部が形成してあることを特徴とする請求項１に記載の摩擦ローラ式変速機。
【請求項３】
前記低速側リング内周面であって、各ローラと接触する部位に、周方向に延びる周方向突条接触部が形成してあることを特徴とする請求項１又は２に記載の摩擦ローラ式変速機。
【請求項４】
前記第２ハウジングに固定して前記低速側リングの内方に配置してあると共に前記ガイド又は可動ローラの支持軸を保持する第３ハウジングを備え、
前記周方向突条堰部と、これに対向する前記第３ハウジングとの隙間は、前記低速側リングの回転を常に維持できるような微少隙間に形成してあることを特徴とする請求項１乃至３のいずれか１項に記載の摩擦ローラ式変速機。
【発明の詳細な説明】
【技術分野】
【０００１】
本発明は、例えば、自動車産業（スタータ減速機、スーパーチャージャー用増速機、コンプレッサ用増速機、各種補機用減速機など）、工作機械、半導体製造装置、水車、風車など、各種産業機械に使用できる、くさび作用を利用した摩擦ローラ式変速機に関する。
【背景技術】
【０００２】
トラクションドライブ式変速機は、静かで滑らかであることから産業上の各種用途に開発され、さらに近年は自動車や自転車といったパーソナルユースに応用する試みがなされ、次世代の動力伝達方式として注目されている。
【０００３】
トラクションドライブ式変速機とは、歯車伝動とは異なり、滑らかな表面をもつ少なくとも２個の回転体を強く押し付け、これらの間に潤滑油膜（例えばＥＨＬ油膜）を介在させて、動力を伝達する機構であり、その基礎式は、Ｆｔ＝μ・Ｆｃという簡単な摩擦の式で表される（Ｆｔ：トラクション力）。ここで、Ｆｃは、押し付け力と呼び、この発生に様々な方法が開発されている。
【０００４】
このトラクションドライブ式変速機の一つとして、特許文献１に開示してあるように、くさび作用を利用した摩擦ローラ式変速機（以後本明細書中では、くさびローラ式変速機と記す）がある。くさびローラ式変速機とは、高速側シャフトの先端部の周囲に、該高速側シャフトに対し偏心した状態で、回転自在に設けられた外輪（低速側リング）と、該高速側シャフトの外周面である動力伝達用円筒面と前記外輪（低速側リング）の内周面である動力伝達用円筒面との間に存在して、径方向に関する幅が円周方向に関して不同である環状空間内に配置される、それぞれの外周面を動力伝達用円筒面とした、少なくとも１個のガイドローラおよび少なくとも１個の可動ローラとを備えた変速機のことを言う。又、可動ローラとは、くさび作用により押付け力を発生するローラであり、半径方向、円周方向に動くローラのことを言う。
【０００５】
このくさびローラ式変速機では、正転時には、可動ローラは、高速側シャフトと外輪（低速側リング）との間で「くさび」に食い込む方向に移動し、押し付け力Ｆｃを発生する。このＦｃによりトラクション力が発生し、トルクを伝達することができる。
【０００６】
一方、逆転時には、可動ローラは、「くさび」から離れる方向に移動し、押し付け力Ｆｃ＝０となり、入力側の回転が出力側へ伝わるのを停止する。
【０００７】
くさびローラ式変速機は、低速側シャフト（低速側リング側）を入力側とした場合には、高速側シャフトを出力側とした増速機として作用し、低速側シャフト（低速側リング側）を出力側とした場合には、高速側シャフトを入力側とした減速機として作用する。
【０００８】
また、くさびローラ式変速機において、正転時には、トルクを伝達する一方、逆転時には、空転してトルクを伝達しないワンウェイクラッチ機能を有しているものと、正逆両方向の回転時に、トルクを伝達することができるものとがある。
【特許文献１】特開２００２−１３６０４号公報
【発明の開示】
【発明が解決しようとする課題】
【０００９】
通常、上記のようなくさびローラ式変速機では、変速機の内部部品の潤滑、及びトラクション部分で必要となるトラクション係数を発生させる目的で、トラクション・オイルまたはトラクション・グリースが用いられている。なお、一般的なエンジンオイル等を使用すると、トラクション部分でグロススリップが発生する虞れがある。
【００１０】
また、低速側リングは、低速側シャフトと分離された構造になっており、その繋ぎには、角形スプラインとＣ形止め輪等が使用されている。
【００１１】
さて、トラクション・オイルを使用する場合、低速側リング内径部分に供給されて存在するトラクション・オイルは、その軸方向のどちらの方向にも流れることができ、低速側リングと中間ローラとの接触部分（トラクション部）を必ず通過するわけではない。
【００１２】
例えば、低速側リング内径部分に沿って軸方向の一方（高速シャフト方向）に流れた場合には、トラクション・オイルは、低速側リングの先端面とハウジングとの隙間を通って、低速側リングの外部に排出されるといったことがある。
【００１３】
一方、低速側リング内径部分に沿って軸方向の他方（低速シャフト方向）に流れた場合には、低速側リングと低速側シャフトとの繋ぎ部分の隙間を通って、外部に排出されるといったことがある。
【００１４】
特に、低速側リング内周面に、各ローラと接触する部位が周方向に延びる周方向突条接触部が形成してある場合、その接触部には、トラクション・オイルが供給されにくい構造になっている。
【００１５】
また、変速機内部に存在するトラクション・オイルが十分なときは、その接触部において油膜は形成されやすい。しかし、上記のように、トラクション・オイルが十分でないとき（強制潤滑の場合、トラクション油供給量が少ないとき）は、接触部では、オイルスタベーションが生じやすくなり、その結果、接触部における油膜は、薄くなり、金属接触の頻度（確立）が高くなる。
【００１６】
そのような状態が継続すると、その接触部では、摩耗、剥離、さらには焼き付きなどの不具合が生じやすくなり、変速機の寿命を低減させてしまうといった虞れがある。
【００１７】
本発明は、上述したような事情に鑑みてなされたものであって、低速側リングと各ローラとの接触部に、トラクション・オイルを十分に供給し且つ十分に滞在させるようにして、著しい寿命の向上を図ることができる摩擦ローラ式変速機を提供することを目的とする。
【課題を解決するための手段】
【００１８】
上記の目的を達成するため、本発明の請求項１に係る摩擦ローラ式変速機は、第１ハウジングに回転自在に支持され、一端部に低速側リングを設けた低速側シャフトと、前記低速側シャフト及び前記低速側リングに対して偏心して、第２ハウジングに回転自在に支持された高速側シャフトと、前記低速側リングと前記高速側シャフトとの間に回転自在に支持された、少なくとも１個のガイドローラと少なくとも１個の可動ローラとから成るくさび作用を利用した摩擦ローラ式変速機において、
前記低速側リングの内周面であって、前記各ローラに接触しない部位に、径方向内方に膨出して周方向に延びる周方向突条堰部が形成してあり、
当該周方向突条堰部の内径は、前記低速側リングの内周面の前記各ローラに接触する部位の内径より、小さくなるように設定してあることを特徴とする。
【００１９】
本発明の請求項２に係る摩擦ローラ式変速機は、前記低速側リングの内周面であって、前記各ローラに接触しない部位に、前記周方向突条堰部に隣接して、テーパ堰部が形成してあることを特徴とする。
【００２０】
本発明の請求項３に係る摩擦ローラ式変速機は、前記低速側リング内周面であって、各ローラと接触する部位に、周方向に延びる周方向突条接触部が形成してあることを特徴とする。
【００２１】
本発明の請求項４に係る摩擦ローラ式変速機は、前記第２ハウジングに固定して前記低速側リングの内方に配置してあると共に前記ガイド又は可動ローラの支持軸を保持する第３ハウジングを備え、
前記周方向突条堰部と、これに対向する前記第３ハウジングとの隙間は、前記低速側リングの回転を常に維持できるような微少隙間に形成してあることを特徴とする。
【発明の効果】
【００２２】
以上説明したように、本発明によれば、低速側リングの内周面であって、各ローラに接触しない部位に、径方向内方に膨出して周方向に延びる周方向突条堰部が形成してあり、周方向突条堰部の内径は、低速側リングの内周面の各ローラに接触する部位の内径より、小さくなるように設定してあることから、低速側リングと各ローラとの接触部に、トラクション・オイルを十分に供給し且つ十分に滞在させることができ、これにより、著しい寿命の向上を図ることができる。
【発明を実施するための最良の形態】
【００２３】
以下、本発明の実施の形態に係る摩擦ローラ式変速機を図面を参照しつつ説明する。
【００２４】
先ず、くさびローラ式変速機の内部構造について詳述し、次いで、実施の形態について説明する。
【００２５】
また、説明の便宜上、１個の可動ローラを用いたくさびローラ式変速機を説明し、その後、２個の可動ローラを用いた両方向動力伝達型のくさびローラ式変速機について説明する。
【００２６】
また、動力の伝達の方法を説明する時は、くさびローラ式変速機が減速機として作用する場合を代表して記述している。減速機において、正回転とは、高速側シャフト１７から外輪（低速側リング）３２に動力を伝える方向であり、逆回転とは、高速側シャフト１７が空転し、外輪（低速側リング）３２へのトルク（動力）伝達を停止する方向である。
【００２７】
（くさびローラ式変速機の内部構造）
図１は、くさびローラ式変速機の縦断面図である。
【００２８】
図２は、ハウジングを取り外した状態における、くさびローラ式変速機の要部の横断面図であって、ワンウェイクラッチ機能を有するくさびローラ式変速機の断面図である（図１のＩＩ−ＩＩ線に沿った断面図）。
【００２９】
図３は、減速機としてのくさびローラ式変速機の作用を説明する図である。
【００３０】
図５は、ハウジングを取り外した状態における、くさびローラ式変速機の要部の横断面図であって、正逆両方向の回転時にトルク（動力）を伝達可能なくさびローラ式変速機の断面図である。
【００３１】
なお、図４には、参考のため、増速機としてのくさびローラ式変速機の作用の説明図を示す。
【００３２】
くさびローラ式変速機Ａは、低速側シャフト３（低速側リング側）を出力側とした場合には、高速側シャフト１７を入力側とした減速機として作用する。
【００３３】
なお、図４に示すように、低速側シャフト３（低速側リング側）を入力側とした場合には、高速側シャフト１７を出力側とした増速機として作用する。
【００３４】
また、図２に示すように、１個の可動ローラ３８を用いたくさびローラ式変速機Ａは、正転時には、トルク（動力）を伝達する一方、逆転時には、空転してトルク（動力）を伝達しないワンウェイクラッチ機能を有しているが、図５に示すように、２個の可動ローラ３８ａ,３８ｂを用いたくさびローラ式変速機Ａは、正逆両方の回転時にトルク（動力）を伝達することができる。
【００３５】
くさびローラ式変速機Ａは、図１、図２において、略円筒状の第１ハウジング１に、仕切板である第２ハウジング２が固定してある。第１ハウジング１には、低速側シャフト３が回転自在に支持してあり、第１ハウジング１内の低速側シャフト３の端部に、円盤状部材４が設けてあり、この円盤状部材４の外縁部に、外輪（低速側リング）３２が取付けてある。
【００３６】
仕切板である第２ハウジング２には、高速側シャフト１７が低速側シャフト３及び外輪（低速側リング）３２に対して偏心（オフセット）して回転自在に設けてある。
【００３７】
図２に示すように、外輪（低速側リング）３２と、高速側シャフト１７との間には、大径のガイドローラ３７ａと、小径のガイドローラ３７ｂと、トルク（動力）伝達時に移動する可動ローラ３８とが介装してある。
【００３８】
可動ローラ３８を回転自在に支持する支持軸３９ｂは、図３に示すように、減速機の場合、高速側シャフト１７と外輪（低速側リング）３２との間で「くさび」に食い込む方向に移動できるように構成してあり、また、この「くさび」に食い込む方向にシリンダ孔４６に設置した圧縮バネ等の弾性材４７（予圧バネ、図２参照）により付勢してある。
【００３９】
これにより、正転時には、可動ローラ３８は、高速側シャフト１７と外輪（低速側リング）３２との間で「くさび」に食い込む方向に移動し、押し付け力Ｆｃを発生する。このＦｃによりトラクション力が発生し、トルク（動力）を伝達することができる。
【００４０】
一方、逆転時には、可動ローラ３８は、「くさび」から離れる方向に移動し、押し付け力Ｆｃ＝０となり、入力側の回転が出力側へ伝わるのを停止する。
【００４１】
図２に示すように、外輪（低速側リング）３２の内周面と高速側シャフト１７の先端部外周面との間には、径方向に関する幅が円周方向に関して不同である環状空間３６が設けられる。
【００４２】
この様な環状空間３６内には、２個のガイドローラ３７ａ、３７ｂと１個の可動ローラ３８とを設置して、上記くさびローラ式変速機Ａを構成している。図２において、可動ローラ３８は切欠いて部分的に示している。これら各ローラ３７ａ、３７ｂ、３８を設置する為に上記環状空間３６部分には、３本の支持軸３９ａ、３９ａ、３９ｂを設けている。これら３本の支持軸３９ａ、３９ａ、３９ｂのうち、２本の支持軸３９ａ，３９ａは、それぞれの両端部を第２ハウジング２及び連結板（第３ハウジング）１４に形成した嵌合孔４０、４０に圧入固定している。従って、上記２本の支持軸３９ａ，３９ａが、上記環状空間３６内で円周方向或は直径方向に変位する事はない。これに対して、上記３本の支持軸３９ａ、３９ａ、３９ｂのうち、残り１本の支持軸３９ｂは、両端部を上記第２ハウジング２及び連結板（第３ハウジング）１４に対し、上記外輪（低速側リング）３２の円周方向及び直径方向に関する若干の変位可能に支持している。この為に、上記第２ハウジング２及び連結板（第３ハウジング）１４の一部で上記１本の支持軸３９ｂの両端部に整合する部分に、この支持軸３９ｂの外径よりも大きな内径を有する支持孔４１を形成し、これら各支持孔４１に、上記支持軸３９ｂの両端部を緩く係合させている。
【００４３】
そして、上述の様に支持した各支持軸３９ａ、３９ａ、３９ｂの中間部周囲に、それぞれ上記各ガイドローラ３７ａ、３７ｂ及び可動ローラ３８を、それぞれラジアルニードル軸受４２、４２等の軸受により、回転自在に支持している。尚、上記連結板（第３ハウジング）１４を上記第２ハウジング２に結合固定する為、この連結板（第３ハウジング）１４の片面に突設した、前記各突部２７、２７は、この連結板（第３ハウジング）１４の円周方向に関して、上記各ガイドローラ３７ａ、３７ｂ及び可動ローラ３８同士の間に存在する。言い換えれば、上記環状空間３６内に上記各突部２７、２７と上記各ガイドローラ３７ａ、３７ｂ又は可動ローラ３８とが、上記環状空間３６の円周方向に関して交互に存在する。又、これら各ガイドローラ３７ａ、３７ｂ又は可動ローラ３８の外周面と上記各突部２７、２７の円周方向側面とが干渉する（擦れ合う）事はない。
【００４４】
この様にして、上記各支持軸３９ａ、３９ａ、３９ｂにより上記第２ハウジング２と連結板（第３ハウジング）１４との間に回転自在に支持した、上記各ガイドローラ３７ａ、３７ｂ及び可動ローラ３８の外周面である、動力伝達用円筒面４３ａ、４３ａ、４３ｂは、それぞれ前記高速側シャフト１７の先端部の外周面である動力伝達用円筒面４４と前記外輪（低速側リング）３２の内周面である動力伝達用円筒面４５とに当接させている。前述した通り、上記各ガイドローラ３７ａ、３７ｂ及び可動ローラ３８を設置した上記環状空間３６の径方向に関する幅は、円周方向に関して不同である。この様に、この環状空間３６の幅寸法を円周方向に関して不同にした分、上記ガイドローラ３７ａ、３７ｂ及び可動ローラ３８の外径を異ならせている。即ち、上記ガイドローラ３７ａ、３７ｂ及び可動ローラ３８のうち、それぞれ上記外輪（低速側リング）３２に対し高速側シャフト１７の先端部が偏心している側に位置する可動ローラ３８及びガイドローラ３７ｂの外径を、互いに同じにすると共に比較的小径にしている。これに対し、上記外輪（低速側リング）３２に対し高速側シャフト１７の先端部が偏心しているのと反対側に位置するガイドローラ３７ａの外径を、上記可動ローラ３８及びガイドローラ３７ｂの外径よりも大きくしている。そして、上記ガイドローラ３７ａ、３７ｂ及び可動ローラ３８の外周面である上記各動力伝達用円筒面４３ａ、４３ａ、４３ｂを、それぞれ上記動力伝達用円筒面４４、４５に当接させている。
【００４５】
尚、上記各ガイドローラ３７ａ、３７ｂ及び可動ローラ３８のうち、各ガイドローラ３７ａ、３７ｂを支持した支持軸３９ａ、３９ａの両端部は、前述の様に、前記第２ハウジング２及び連結板（第３ハウジング）１４に対し（環状空間３６内に）固定している。これに対して、上記可動ローラ３８を支持した支持軸３９ｂは、やはり前述した様に上記第２ハウジング２及び連結板（第３ハウジング）１４に対し（環状空間３６内に）、円周方向及び直径方向に関する若干の変位を可能に支持している。従って、上記可動ローラ３８も、上記環状空間３６内で円周方向及び直径方向に若干の変位可能である。そして、前記第２ハウジング２及び連結板（第３ハウジング）１４のシリンダ孔４６内に設置した、圧縮バネ等の弾性材４７（予圧バネ）により、上記可動ローラ３８を支持した支持軸３９ｂを、これら支持軸３９ｂに回転自在に支持した可動ローラ３８を前記環状空間３６の幅の狭い部分に向け移動させるべく、弾性的に軽く押圧している。
【００４６】
上述の様に構成するくさびローラ式変速機により回転軸を回転駆動する場合（減速機の場合）には、正転時、高速側シャフト１７に駆動力を入力することにより、高速側シャフト１７を図３の矢印方向に回転させる。この高速側シャフト１７の回転は、各ガイドローラ３７ａ、３７ｂ及び可動ローラ３８を介して、外輪（低速側リング）３２に伝わり、外輪（低速側リング）３２を図３の矢印方向に回転させる。
【００４７】
外輪（低速側リング）３２とガイドローラ３７ａ、３７ｂ及び可動ローラ３８との間の動力伝達、並びに、これらガイドローラ３７ａ、３７ｂ及び可動ローラ３８と高速側シャフト１７との間の動力伝達は、何れも摩擦伝達により行なわれる為、動力伝達時に発生する騒音並びに振動は低い。
【００４８】
又、可動ローラ３８は、高速側シャフト１７から外輪（低速側リング）３２に伝達するトルクの大きさに応じた力で、環状空間３６の幅が狭い部分に食い込む傾向となる。この為、外輪（低速側リング）３２の内周面である動力伝達用円筒面４５とガイドローラ３７ａ、３７ｂ及び可動ローラ３８の外周面である動力伝達用円筒面４３ａ、４３ａ、４３ｂとの当接部、並びに、これら各動力伝達用円筒面４３ａ、４３ａ、４３ｂと高速側シャフト１７の外周面である動力伝達用円筒面４４との当接部の面圧は、何れも、上記トルクが大きくなる程高くなる。逆に言えば、このトルクが小さい場合には、各当接部の面圧が低い状態となる。この為、これら各当接部の面圧を、伝達すべきトルクに合わせた適正値にして、トルク伝達を効率良く行なえる。
【００４９】
即ち、高速側シャフト１７を図３の矢印方向に回転させる際には、可動ローラ３８が、外輪（低速側リング）３２の内周面である動力伝達用円筒面４５及び高速側シャフト１７の外周面である動力伝達用円筒面４４から、弾性材４７（予圧バネ）による押圧力と同方向の力を受けて、環状空間３６の幅の狭い部分に向け移動する傾向となる。
【００５０】
上述の様にして、可動ローラ３８を環状空間３６の幅の狭い部分に向け移動させようとする力は、高速側シャフト１７から外輪（低速側リング）３２に伝達する回転駆動力の大きさに応じて変化する。そして、この力が大きくなる程、動力伝達用円筒面４３ａ，４３ｂと動力伝達用円筒面４４との当接部である内側当接部４８、及び、この動力伝達用円筒面４３ａ，４３ｂと動力伝達用円筒面４５との当接部である外側当接部４９の当接圧が高くなる。従って、この様な作用に基づき、上記伝達する回転駆動力に応じた当接圧を自動的に選定して、くさびローラ式変速機Ａの伝達効率を確保できる。
【００５１】
図２に示した例の場合には、くさびローラ式変速機Ａは、ワンウェイクラッチ機能を備えており、減速機の場合、外輪（低速側リング）３２の回転速度が高速側シャフト１７の回転速度に見合う速度、即ち、この高速側シャフト１７の回転速度にくさびローラ式変速機Ａの減速比を掛けた速度よりも速くなった場合には、このくさびローラ式変速機Ａの接続が断たれる。即ち、この場合には、上記可動ローラ３８が、前記弾性材４７（予圧バネ）の弾力に抗して、上記環状空間３６の幅の広い側に変位する。この結果、上記内側、外側両当接部４８、４９の当接圧が低下若しくは喪失して、高速側シャフト１７の回転が外輪（低速側リング）３２にまでは伝わらなくなる。
【００５２】
次に、図５に示す、正逆両方向の回転時にトルクを伝達可能なくさびローラ式変速機について説明する。
【００５３】
図５は、高速側シャフト１７を時計、反時計の両方向に回転駆動自在な構造について示している。
【００５４】
この様な本例の構造の揚合には、くさびローラ式変速機Ａを構成する３個のローラとして、１個のガイドローラ３７と２個の可動ローラ３８ａ，３８ｂとを使用している。このうち、環状空間３６のうちで最も幅が広くなった部分に設置したローラを、比較的大径で設置位置が変化しないガイドローラ３７としている。これに対して、上記環状空間３６の幅が最も狭くなった部分を挟んで設けた１対のローラを、それぞれ比較的小径で円周方向及び直径方向に関する若干の変位を可能にした可動ローラ３８ａ，３８ｂとしている。これら各可動ローラ３８ａ，３８ｂを支持した各支持軸３９ｂ，３９ｂを、環状空間３６の最も幅が狭くなった部分に向けそれぞれ弾性的に押圧している。
【００５５】
上述の様に構成する本例の構造の場合には、高速側シャフト１７が図５で時計方向に回転する場合には、可動ローラ３８ａが上記環状空間３６の幅が狭くなった部分に食い込む。
【００５６】
これに対して、高速側シャフト１７が図５で反時計方向に回転する場合には、可動ローラ３８ｂが上記環状空間３６の幅が狭くなった部分に食い込む。
【００５７】
又、本例の場合には、これら各可動ローラ３８ａ，３８ｂを支持した支持軸３９ｂ，３９ｂの両端部を支持する為、第２ハウジング２及び連結板（第３ハウジング）１４に形成した支持孔４１ａ，４１ａ（長溝）の、上記環状空間３６の円周方向に関する長さを規制している。具体的には、これら各支持孔４１ａ，４１ａ（長溝）のうち、上記環状空間３６の幅が広い側の端部の位置を、前述した図２で示した場合よりも、この環状空間３６の最も幅が狭くなった位置に近づけている。そして、上記各可動ローラ３８ａ，３８ｂが、上記環状空間３６の幅の広い側に過度に退避しない様にしている。
【００５８】
上述の様に構成する本例の場合には、減速機の場合、高速側シャフト１７が時計、反時計の何れの方向に回転する場合でも、何れかの可動ローラ３８ａ（３８ｂ）が上記環状空間３６の幅の狭い部分に食い込み、当該可動ローラ３８ａ（３８ｂ）に関する内側、外側各当接部４８，４９の当接圧を高める。一方、上記環状空間３６の幅の狭い部分から退避する方向に変位する可動ローラ３８ｂ（３８ａ）に関しても、その退避量は限られる。この結果、両可動ローラ３８ａ，３８ｂ及び前記ガイドローラ３７に関して、内側、外側各当接部４８，４９の当接圧が十分に上昇し、高速側シャフト１７から外輪（低速側リング）３２にまで、動力を効率良く伝達できる。この様に、高速側シャフト１７から外輪（低速側リング）３２への時計、反時計の両方向の動力伝達を可能にした点以外は、図２に前述した場合と同様であるから、同等部分に関する図示並びに説明は省略する。
【００５９】
（参考例）
図６（ａ）は、本発明の参考例１に係るくさびローラ式変速機の縦断面図であり、（ｂ）は、（ａ）のｂ−ｂ線に沿った断面図である。
【００６０】
本参考例において、低速側シャフト３に一体的に形成した円盤状部材４の周方向の先端部５１と、低速側リング３２に形成した孔部５２とは、角形スプラインにより連結してあり、加えて、Ｃ形止め輪５３により固定している。
【００６１】
通常、上記のようなくさびローラ式変速機Ａでは、変速機の内部部品の潤滑、及びトラクション部分で必要となるトラクション係数を発生させる目的で、トラクション・オイルまたはトラクション・グリースが用いられている。なお、一般的なエンジンオイル等を使用すると、トラクション部分でグロススリップが発生する虞れがある。
【００６２】
また、低速側リング３２は、低速側シャフト３と分離された構造になっており、その繋ぎには、上記のように、角形スプラインとＣ形止め輪５３等が使用されている。
【００６３】
さて、トラクション・オイルを使用する場合、低速側リング３２の内径部分に供給されて存在するトラクション・オイルは、その軸方向のどちらの方向にも流れることができ、低速側リング３２と各ローラ３７ａ，３７ｂ…との接触部分（トラクション部）を必ず通過するわけではない。
【００６４】
例えば、低速側リング３２の内径部分に沿って軸方向の一方（高速シャフト１７方向）に流れた場合には、トラクション・オイルは、低速側リング３２の先端面と第２ハウジング２との隙間を通って、低速側リング３２の外部に排出されるといったことがある。
【００６５】
一方、低速側リング３２の内径部分に沿って軸方向の他方（低速シャフト３方向）に流れた場合には、低速側リング３２と低速側シャフト３との繋ぎ部分（角形スプラインとＣ形止め輪５３）の隙間を通って、外部に排出されるといったことがある。
【００６６】
図７（ａ）は、本発明の参考例２に係るくさびローラ式変速機の縦断面図であり、（ｂ）は、（ａ）のｂ−ｂ線に沿った断面図である。
【００６７】
特に、本参考例のように、低速側リング３２の内周面であって、各ローラ３７ａ，３７ｂ…と接触する部位に、周方向に延びる周方向突条接触部５４が形成してある場合、その接触部には、トラクション・オイルが供給されにくい構造になっている。
【００６８】
また、変速機内部に存在するトラクション・オイルが十分なときは、その接触部において油膜は形成されやすい。しかし、上記のように、トラクション・オイルが十分でないとき（強制潤滑の場合、トラクション油供給量が少ないとき）は、接触部では、オイルスタベーションが生じやすくなり、その結果、接触部における油膜は、薄くなり、金属接触の頻度（確立）が高くなる。
【００６９】
そのような状態が継続すると、その接触部では、摩耗、剥離、さらには焼き付きなどの不具合が生じやすくなり、変速機の寿命を低減させてしまうといった虞れがある。
【００７０】
（第１実施の形態）
図８（ａ）は、本発明の第１実施の形態に係るくさびローラ式変速機の縦断面図であり、（ｂ）は、（ａ）のｂ−ｂ線に沿った断面図である。
【００７１】
本実施の形態では、低速側リング３２の内周面の各ローラ３７ａ，３７ｂ…に接触する部位は、フラットである一方、低速側リング３２の内周面の各ローラ３７ａ，３７ｂ…に接触しない部位には、径方向内方に膨出して周方向に延びる周方向突条堰部６０が形成してある。
【００７２】
この周方向突条堰部６０の内径は、低速側リング３２の内周面の各ローラ３７ａ，３７ｂ…に接触する部位の内径より、小さくなるように設定してある。
【００７３】
また、連結板１４（第３ハウジング）は、第２ハウジング２に固定してあり、低速側リング３２の内方に配置してあると共に、各ローラ３７ａ，３７ｂ…の支持軸３９ａ，３９ｂを保持している。なお、この連結板１４（第３ハウジング）からは、３個の突部２７が軸方向に突出してある。
【００７４】
上述した周方向突条堰部６０と、これに対向する連結板１４（第３ハウジング）との隙間は、好適には、極力小さくなるように設定してあり、例えば、低速側リング３２の回転を常に（阻害することなく良好に）維持できるような微少隙間に形成してある。
【００７５】
以上から、本実施の形態では、上述したような周方向突条堰部６０が設けてあることから、低速側リング３２の内径部分に存在するトラクション・オイルは、低速側リング３２と低速側シャフト３との繋ぎ部分（角形スプラインとＣ形止め輪５３）の隙間を通って排出されることが殆どなくなる一方、低速側リング３２の内径部分に沿った軸方向の一方（高速シャフト１７方向）への流れが主流となって、この方向に多量に流れるようになる。
【００７６】
これにより、各ローラ３７ａ，３７ｂ…との接触部を通るトラクション・オイルの流量を増加させることができる。従って、上述した不具合が生じにくくなり、くさびローラ式変速機Ａの著しい寿命の向上が可能となる。
【００７７】
図９（ａ）は、本発明の第１実施の形態の変形例に係るくさびローラ式変速機の縦断面図であり、（ｂ）は、（ａ）のｂ−ｂ線に沿った断面図である。
【００７８】
本変形例では、低速側リング３２の内周面であって、各ローラ３７ａ，…に接触しない部位に、周方向突条堰部６０に隣接して、テーパ状に形成したテーパ堰部６１が形成してある。
【００７９】
このテーパ堰部６１に供給されたトラクション・オイルは、遠心力の分力の作用により、低速側リング３２の内径部分に沿った軸方向の一方（高速シャフト１７方向）への流れがより一層促進される。
【００８０】
従って、トラクション部分に、上記の第１実施の形態よりも、より一層多量のトラクション・オイルを供給することができる。
【００８１】
（第２実施の形態）
図１０（ａ）は、本発明の第２実施の形態に係るくさびローラ式変速機の縦断面図であり、（ｂ）は、（ａ）のｂ−ｂ線に沿った断面図である。
【００８２】
本実施の形態でも、低速側リング３２の内周面であって、各ローラ３７ａ，３７ｂ…と接触する部位に、周方向に延びる周方向突条接触部５４が形成してある。
【００８３】
本実施の形態では、低速側リング３２の内周面の各ローラ３７ａ，３７ｂ…に接触する部位は、フラットである一方、低速側リング３２の内周面の各ローラ３７ａ，３７ｂ…に接触しない部位には、径方向内方に膨出して周方向に延びる周方向突条堰部６０が形成してある。
【００８４】
この周方向突条堰部６０の内径は、低速側リング３２の内周面の各ローラ３７ａ，３７ｂ…に接触する部位の内径より、小さくなるように設定してある。
【００８５】
また、連結板１４（第３ハウジング）は、第２ハウジング２に固定してあり、低速側リング３２の内方に配置してあると共に、各ローラ３７ａ，３７ｂ…の支持軸３９ａ，３９ｂを保持している。なお、この連結板１４（第３ハウジング）からは、３個の突部２７が軸方向に突出してある。
【００８６】
上述した周方向突条堰部６０と、これに対向する連結板１４（第３ハウジング）との隙間は、好適には、極力小さくなるように設定してあり、例えば、低速側リング３２の回転を常に（阻害することなく良好に）維持できるような微少隙間に形成してある。
【００８７】
以上から、本実施の形態では、上述したような周方向突条堰部６０が設けてあることから、低速側リング３２の内径部分に存在するトラクション・オイルは、低速側リング３２と低速側シャフト３との繋ぎ部分（角形スプラインとＣ形止め輪５３）の隙間を通って排出されることが殆どなくなる一方、低速側リング３２の内径部分に沿った軸方向の一方（高速シャフト１７方向）への流れが主流となって、この方向（周方向突条接触部５４）に多量に流れるようになる。
【００８８】
これにより、各ローラ３７ａ，３７ｂ…との接触部（周方向突条接触部５４）を通るトラクション・オイルの流量を増加させることができる。従って、上述した不具合が生じにくくなり、くさびローラ式変速機Ａの著しい寿命の向上が可能となる。
【００８９】
図１１（ａ）は、本発明の第２実施の形態の変形例に係るくさびローラ式変速機の縦断面図であり、（ｂ）は、（ａ）のｂ−ｂ線に沿った断面図である。
【００９０】
本変形例では、低速側リング３２の内周面であって、各ローラ３７ａ，…に接触しない部位に、周方向突条堰部６０に隣接して、テーパ状に形成したテーパ堰部６１が形成してある。
【００９１】
このテーパ堰部６１に供給されたトラクション・オイルは、遠心力の分力の作用により、低速側リング３２の内径部分に沿った軸方向の一方（高速シャフト１７方向）への流れがより一層促進される。
【００９２】
従って、トラクション部分に、上記の第２実施の形態よりも、より一層多量のトラクション・オイルを供給することができる。
【００９３】
なお、本発明は、上述した実施の形態に限定されず、種々変形可能である。
【図面の簡単な説明】
【００９４】
【図１】くさびローラ式変速機の縦断面図である。
【図２】ハウジングを取り外した状態における、くさびローラ式変速機の要部の横断面図であって、ワンウェイクラッチ機能を有するくさびローラ式変速機の断面図である（図１のＩＩ−ＩＩ線に沿った断面図）。
【図３】減速機としてのくさびローラ式変速機の作用を説明する図である。
【図４】増速機としてのくさびローラ式変速機の作用を説明する図である。
【図５】ハウジングを取り外した状態における、くさびローラ式変速機の要部の横断面図であって、正逆両方向の回転時にトルク（動力）を伝達可能なくさびローラ式変速機の断面図である。
【図６】（ａ）は、本発明の参考例１に係るくさびローラ式変速機の縦断面図であり、（ｂ）は、（ａ）のｂ−ｂ線に沿った断面図である。
【図７】（ａ）は、本発明の参考例２に係るくさびローラ式変速機の縦断面図であり、（ｂ）は、（ａ）のｂ−ｂ線に沿った断面図である。
【図８】（ａ）は、本発明の第１実施の形態に係るくさびローラ式変速機の縦断面図であり、（ｂ）は、（ａ）のｂ−ｂ線に沿った断面図である。
【図９】（ａ）は、本発明の第１実施の形態の変形例に係るくさびローラ式変速機の縦断面図であり、（ｂ）は、（ａ）のｂ−ｂ線に沿った断面図である。
【図１０】（ａ）は、本発明の第２実施の形態に係るくさびローラ式変速機の縦断面図であり、（ｂ）は、（ａ）のｂ−ｂ線に沿った断面図である。
【図１１】（ａ）は、本発明の第２実施の形態の変形例に係るくさびローラ式変速機の縦断面図であり、（ｂ）は、（ａ）のｂ−ｂ線に沿った断面図である。
【符号の説明】
【００９５】
１  第１ハウジング
２  第２ハウジング
２ａ  フランジ
３  低速側シャフト
４  円盤状部材
１４  連結板（第３ハウジング）
１７  高速側シャフト
２７  突部
３２  外輪（低速側リング）
３６  環状空間
３７ａ、３７ｂ  ガイドローラ
３８  可動ローラ
３７  ガイドローラ
３８ａ、３８ｂ  可動ローラ
３９ａ  ガイドローラのための支持軸
３９ｂ  可動ローラのための支持軸
４０  嵌合孔
４１、４１ａ  支持孔
４２  ラジアルニードル軸受
４３ａ  ガイドローラのための動力伝達用円筒面
４３ｂ  可動ローラのための動力伝達用円筒面
４４  動力伝達用円筒面
４５  動力伝達用円筒面
４６  シリンダ孔
４７  弾性材（予圧バネ）
４８  内側当接部
４９  外側当接部
Ａ    くさびローラ式変速機
５１  先端部
５２  孔部
５３  Ｃ形止め輪
５４  周方向突条接触部
６０  周方向突条堰部
６１  テーパ堰部
【図１】
2005140156.tif 000003
【図２】
2005140156.tif 000004
【図３】
2005140156.tif 000005
【図４】
2005140156.tif 000006
【図５】
2005140156.tif 000007
【図６】
2005140156.tif 000008
【図７】
2005140156.tif 000009
【図８】
2005140156.tif 000010
【図９】
2005140156.tif 000011
【図１０】
2005140156.tif 000012
【図１１】
2005140156.tif 000013